(57)【特許請求の範囲】
【請求項１】
１つまたは複数の袋状のセルを備えるマットレスと、前記セルに流体を供給する流体供給装置と、ユーザの指示により前記マットレスの状態を設定する操作部と、前記操作部により設定された結果に基づき前記流体供給装置の運転を制御する機能を有する制御部と、
を備えるマットレス装置において、
前記操作部は、ユーザの指示を検知する検知手段と、前記検知手段が設けられる筐体と、前記操作部の位置を知らせる操作部位置特定手段と、を備え、前記マットレスに内蔵され、
前記操作部位置特定手段として、発光手段を備え、
前記検知手段がユーザの操作部の位置を探す手探りの動作を検知したとき、前記発光手段を発光することを特徴とするマットレス装置。
【請求項２】
前記操作部は、前記操作部の上面または側面が前記マットレスの上面または側面に沿って配置されることを特徴とする請求項１に記載のマットレス装置。
【請求項３】
前記流体供給装置は、前記操作部と一体的に構成され、
前記操作部とともに前記マットレスに内蔵されることを特徴とする請求項１または２に記載のマットレス装置。
【請求項４】
前記制御部は、誤操作防止機能を備えることを特徴とする請求項１から３のうちの何れか一項に記載のマットレス装置。
【請求項５】
前記誤操作防止機能は、予め設定された操作が行われない場合は前記操作部における操作は認識されないことを特徴とする請求項４に記載のマットレス装置。
【請求項６】
前記操作部により設定が変更されたときに報知する報知手段を備えることを特徴とする請求項１から５のうちの何れか一項に記載のマットレス装置。
【請求項７】
前記誤操作防止機能がロックまたはロック解除されたときに報知する報知手段を備えることを特徴とする請求項４又は５に記載のマットレス装置。
【請求項８】
前記報知手段は、光、音、音声、振動のうちの少なくとも１つ要素を用いて報知することを特徴とする請求項６又は７に記載のマットレス装置。
【発明の詳細な説明】
【技術分野】
【０００１】
本発明は、ボトムや床等の載置面上に載置して使用するマットレス装置に関する。
【背景技術】
【０００２】
従来、利用者が寝る場合に使用するマットレスは、ベッド装置のボトムや床等の載置面上に載置して使用される。そのようなマットレスには、利用者の快適性や安全性を向上させる様々な提案がされている。
【０００３】
例えば、介護向けあるいは医療向けに用いられるエアマットレスは、硬さ設定、モード設定、機能のＯＮ／ＯＦＦなどいくつかの設定が可能に構成されている。それらの設定を行うためには、エアポンプ装置（流体供給装置）を操作する操作部において所定の操作が必要となる。
【０００４】
各設定を操作リモコンを用いて行う場合は、例えば、ポンプ装置をマットレスに収納可能に構成して、設定操作を行なう際にポンプ装置に接続された操作リモコンをシーツ外に出して使用するようにしたり、操作部がポンプ装置に一体的に設けられている場合は、設定操作を行なう際にエアポンプ装置ごと操作部をシーツ外に出して使用するようにしている。
【０００５】
従来技術として、例えば、エアマットレスの構造において、寝たままの状態で操作部の操作がしやすいように、マットレス中央の側面に操作部を組み込んだものが提案されている（特許文献１を参照）。このように構成することで、寝たときに手が自然に位置する部分に操作盤が位置するため寝ている人が操作しやすい状態となる。
【０００６】
また、その他の技術として、マットレスの構造において、音声信号によってマットレスの圧力調整を行うようにしたものが提案されている（特許文献２を参照）。このように構成することで、マットレスの硬さを容易設定することができる。
【０００７】
また、その他の技術として、クッションの構造において、操作部をクッションに内蔵してベース部材の前端且つ着座面幅方向の一端側または他端側に表示部を設けるようにしたものが提案されている（特許文献３を参照）。このように構成することで、介護者も着座面の前方から表示部を容易に視認することができる。
【０００８】
また、その他の技術として、エアマットを備えたエアベッドの構成において、エアポンプと前記エアポンプを制御する制御部品を内蔵した制御ボックスをエアマット下の座板の下方に収容するようにした構成が提案されている（特許文献４を参照）。このように構成することで、エアポンプがエアマットから出ていないため、シーツは掛けやすくなり作業性の向上を図ることができる。
【先行技術文献】
【特許文献】
【０００９】
【特許文献１】特開平０５−０６８６２４号公報
【特許文献２】特表２０１５−５０００８５号
【特許文献３】特開２０１０−０４６１４１号公報
【特許文献４】特開２００２−２０９６７４号公報
【発明の概要】
【発明が解決しようとする課題】
【００１０】
しかしながら、特許文献１の技術では、シーツを使用すると操作部が見えなくなり、操作性が悪くなるという問題があった。
【００１１】
また、特許文献２の技術では、ポンプや制御部はマットレス外に配置されているため、給排気チューブや操作ケーブルなどでマットレス周りが繁雑となったり、シーツを使用しづらくなるという問題があった。
【００１２】
また、特許文献３の技術では、クッションのカバーを使用する場合は、透光部を設けた専用のカバーを使用しないと表示部が見えなくなるため、設定状態を把握できないという問題があった。さらに、透光部を設けていないカバーを使用した場合、スイッチの位置も把握できないため操作性が悪くなるという問題があった。
【００１３】
また、特許文献４の技術では、操作リモコンはベッド外に出ているため、操作リモコンの操作ケーブルが露出してマットレス周りが繁雑になるという問題があった。
【００１４】
このように、従来の技術では、エアポンプを使用してマットレスの状態を設定するマットレス装置においては、操作リモコン等をマットレスに内蔵すると、シーツを使用した場合に操作部がシーツに覆われてしまうため、操作性が悪くなるという問題があった。
【００１５】
また、操作リモコンやエアポンプ等をマットレスと別体で設けた場合は、操作リモコンの操作ケーブルやエアポンプに接続される給排気チューブがマットレスから露出して、シーツが使用しづらくなったり、マットレス周りが繁雑になったりするという問題があった。
【００１６】
本発明は、上記従来の問題点に鑑みてなされたものであって、マットレス装置において、シーツを使用した場合でも操作部の位置を容易に知ることができて、マットレス周りが繁雑になることなく、操作性の向上を図ったマットレス装置を提供することを目的とする。
【課題を解決するための手段】
【００１７】
上述した課題を解決するための本発明に係るマットレス装置は、次の通りである。
【００１８】
本発明は、１つまたは複数の袋状のセルを備えるマットレスと、前記セルに流体を供給する流体供給装置と、ユーザの指示により前記マットレスの状態（例えば、マットレスの姿勢）を設定する操作部と、前記操作部により設定された結果に基づき前記流体供給装置の運転を制御する機能を有する制御部と、を備えるマットレス装置において、前記操作部の構成として、ユーザの指示を検知する検知手段（例えば、操作スイッチ）と、前記検知手段が設けられる筐体と、前記操作部の位置を知らせる操作部位置特定手段と、を備え、前記マットレスに内蔵され、前記操作部位置特定手段として、発光手段を備え、前記検知手段がユーザの指示を検知したとき、前記発光手段による発光状態の切り換えが行われることを特徴とするものである。
【００１９】
本発明において、前記検知手段は、ユーザの指示を接触および非接触で検知するものを含む。具体的には、接触による検知手段としては、静電容量スイッチ、磁気スイッチ、圧力スイッチ、タッチスイッチ、ダイヤル式スイッチ、押しボタンスイッチを含む。非接触による検知手段としては、光、音、音声、振動による検知手段を含む。
【００２０】
また、本発明は、前記操作部を、前記操作部の上面または側面が前記マットレスの上面または側面に沿って配置することが好ましい。
【００２１】
本発明において、前記操作部は、前記マットレスの上面または側面と略面一となるように前記マットレスに内蔵してもよい。
【００２２】
また、本発明は、前記流体供給装置を前記操作部と一体的に構成し、前記操作部とともに前記マットレスに内蔵するように構成することが好ましい。
【００２３】
また、本発明は、前記検知手段を、前記筐体の一側面を操作面として、前記操作面上におけるユーザの指示を電磁誘導により検知するように構成することが好ましい。
【００２４】
また、本発明は、前記操作部位置特定手段として、発光手段を備え、前記検知手段がユーザの指示を検知したとき、前記発光手段による発光状態の切り換えが行われることが好ましい。
前記発光手段は、前記操作部の位置またはその周辺を明るくしたり、前記操作部が設置されている位置の方向を示すように発光するようにしてもよい。
【００２５】
また、本発明は、前記操作部位置特定手段として、前記操作部の操作面となる一側面に凹凸部を形成して、操作部位置を特定することで、ユーザ操作を前記操作部位置へ誘導することが好ましい。
【００２６】
また、本発明は、前記検知手段を、音声認識によりユーザの指示を検知するものとすることが好ましい。
【００２７】
また、本発明は、前記検知手段を、振動によりユーザの指示を検知するものとすることが好ましい。例えば、マットレス全体をセンサとして構成して、その振動の仕方によってユーザの指示を判定するようにしてもよい。
【００２８】
また、本発明は、前記制御部の構成として、誤操作防止機能を備えることが好ましい。
【００２９】
また、本発明は、前記誤操作防止機能として、例えは、検知機能を制限するロック機構を備えて、予め設定された操作が行われない場合は前記操作部における検知手段による検知は行われないようにすることが好ましい。
【００３０】
また、本発明は、前記操作部により設定が変更されたときに報知する報知手段を備えることが好ましい。
【００３１】
また、本発明は、前記誤操作防止機能がロックまたはロック解除されたときに報知する報知手段を備えることが好ましい。
【００３２】
また、本発明は、前記報知手段として、光、音、音声、振動のうちの少なくとも１つ要素を用いて報知することが好ましい。
【発明の効果】
【００３３】
本発明のマットレス装置によれば、１つまたは複数の袋状のセルを備えるマットレスと、前記セルに流体を供給する流体供給装置と、ユーザの指示により前記マットレスの状態を設定する操作部と、前記操作部により設定された結果に基づき前記流体供給装置の運転を制御する機能を有する制御部と、を備えるマットレス装置において、前記操作部の構成として、ユーザの指示を検知する検知手段と、前記検知手段が設けられる筐体と、前記操作部の位置を知らせる操作部位置特定手段と、を備え、前記マットレスに内蔵し、前記操作部位置特定手段として、発光手段を備え、前記検知手段がユーザの指示を検知したとき、前記発光手段による発光状態の切り換えを行うようにすることで、前記操作部に接続される操作ケーブルを露出することなく前記操作部を設置することができるので、マットレス周りが繁雑になることなく、シーツを簡単に掛けることができ、前記操作部位置特定手段により操作部の位置を容易に知ることができるので、操作性の向上を図ることができる。
【図面の簡単な説明】
【００３４】
【図１】本発明の第１実施形態に係るマットレス装置の全体の構成を示す説明図である。
【図２】前記マットレス装置の構成を示すブロック図である。
【図３】前記マットレス装置の操作部の設置状態の一例を示す説明図である。
【図４】前記操作部を上面に配置した発光手段の発光態様の一例を示す説明図である。
【図５】前記発光手段の発光態様の変形例１を示す説明図である。
【図６】前記発光手段の発光態様の変形例２を示す説明図である。
【図７】本発明の第２実施形態に係るマットレス装置の操作部の設置状態の一例を示す説明図である。
【図８】前記操作部の上面に検知手段を配置した構成を示す説明図である。
【図９】前記操作部の上面に検知手段を配置した構成の変形例１を示す説明図である。
【図１０】前記操作部の上面に検知手段を配置した構成の変形例２を示す説明図である。
【図１１】前記操作部の側面に前記検知手段を配置した構成の変形例３を示す説明図である。
【図１２】本発明の第３実施形態に係るマットレス装置の操作部の設置状態の一例を示す説明図である。
【図１３】本発明の第４実施形態に係るマットレス装置の操作部の設置状態の一例を示す説明図である。
【図１４】前記操作部の上面に検知手段を配置した構成を示す説明図である。
【図１５】前記検知手段を上面に配置した構成の変形例１を示す説明図である。
【図１６】本発明の第５実施形態に係るマットレス装置の操作部の設置状態の一例を示す説明図である。
【図１７】本発明の第６実施形態に係るマットレス装置の操作部の設置状態の一例を示す説明図である。
【発明を実施するための形態】
【００３５】
（第１実施形態）
以下、本発明のマットレス装置を実施するための形態について図面を参照して詳細に説明する。
図１は本発明を実施する形態の一例であって、本発明の第１実施形態に係るマットレス装置の全体の構成を示す説明図、図２は前記マットレス装置の構成を示すブロック図、図３は前記マットレス装置の操作部の設置状態の一例を示す説明図、図４は前記操作部を上面に配置した発光手段の発光態様の一例を示す説明図、図５は前記発光手段の発光態様の変形例１を示す説明図、図６は前記発光手段の発光態様の変形例２を示す説明図である。
【００３６】
第１実施形態に係るマットレス装置１は、図１に示すように、複数の袋状のエアセル２を備えるマットレス３と、各エアセル２に空気を供給するエアセル制御装置（流体供給装置）５と、ユーザの指示によりマットレス３の状態（姿勢）を設定する操作部８と、を備えて、操作部８により設定された結果に基づきエアセル制御装置５による空気の給排気を制御してマットレス３の状態を設定するマットレス装置において、操作部８をマットレス３の本体内部に内蔵するように構成したことを特徴とするものである。
【００３７】
まず、マットレス装置１の全体構成について図面を参照して説明する。
マットレス装置１は、図１に示すように、ベース４の上にマットレス３が載置される。
マットレス３は、供給される空気により硬さの調整が可能な複数のエアセル２を備えて構成されている。エアセル２は、マットレス装置１の幅方向に沿って延設されるとともに、長手方向に連続して配置されている。
【００３８】
エアセル２には、エアセル制御装置５からの給排気チューブ５１が接続されている。
そして、カバー（図示省略）により複数のエアセル２を一体的に覆うことによりマットレス３が構成されている。
【００３９】
マットレス装置１は、図１において、患者Ｐの足側をフット側、頭側をヘッド側となるように利用される。
【００４０】
次に、第１実施形態のマットレス装置１の特徴的な構成について図面を参照して説明する。
【００４１】
第１実施形態のマットレス装置１は、図２に示すように、操作部８と、エアセル制御装置５と、制御部９と、報知手段１１を備えて、マットレス３の状態を設定可能に構成されている。
【００４２】
操作部８は、ユーザの操作によりマットレス３の硬さや、エアセル２を局部的に突出させたり凹ませたりすることによるマットレス３の姿勢の変更を設定する。
【００４３】
制御部９は、図示しない温度調整装置や湿度調整装置の運転を制御することでマットレス３の温度・湿度を調節するとともに、操作部８によるユーザからの指示による設定結果に基づいてエアセル制御装置５の運転を制御する。
【００４４】
第１実施形態では、制御部９には、誤操作防止機能９１を備えることを特徴としている。
誤操作防止機能９１は、予め設定された操作が行われない場合は操作部８における操作は認識されないようにされている。例えば、操作部８において、検知手段８１は、所定時間のうちに連続３検出された場合に、検知手段８１によるユーザの指示操作を検知することを可能となるように設定する。また、所定時間が経過した場合は、自動で入力操作が再度ロックされるタイマーロック機能を備えてもよい。
【００４５】
また、誤操作防止機能９１は、予め設定された操作をすることで、入力操作が再度ロックされるロック機能を備えてもよい。
【００４６】
報知手段１１は、検知手段８１によりマットレス３の状態が設定された場合および設定が変更された場合や、誤操作防止機能９１が解除またはロックされた場合に、発光手段８２により設定および設定変更したことや、誤操作防止機能９１がロックおよびロック解除したことを報知する。
【００４７】
なお、報知手段１１は、発光による報知の他、音、音声、振動等により報知するようにしてもよい。また、報知する機能として、マットレス装置１の操作エラー等の異常時に、発光や音、音声、振動等により報知するようにしてもよい。
【００４８】
エアセル制御装置５は、エアポンプ６とエアセル制御部７とを備えて構成されている。
エアセル制御部７は、複数のエアセル２に対応して複数のバルブを備えて構成されている。そして、エアセル制御部７は、ユーザの指示による設定に応じて所定のバルブを切り換えて、エアポンプ６から供給される空気を所定のエアセル２に給気することによりマットレスを所定の姿勢にするようにされている。
【００４９】
なお、エアセル制御部７は、吸気された所定のエアセル２から空気を排気することでマットレスを所定の姿勢にすることも可能である。
【００５０】
所定のエアセル２の排気を行う場合は、エアポンプ６は使用せず、所定のバルブを切り換えてエアセル２の排気を行う。例えば、所定の姿勢にする系統のエアセル２に連通する排気バルブを開放すると、所定のエアセル２の空気が排気される。
【００５１】
操作部８は、検知手段８１と発光手段８２とを備えることを特徴としている。
【００５２】
検知手段８１は、電磁誘導によりユーザの設定操作による動作を検知する操作スイッチとして機能するように構成されている。
【００５３】
発光手段８２は、発光することで操作部８の位置をユーザに知らせる操作部位置特定手段として機能するように構成されている。
【００５４】
例えば、ユーザが設定操作を行う以前から発光手段８２が発光状態となるように設定することで、ユーザは、発光手段８２により操作部８の位置を容易に確認することができる。
この場合の発光手段８２としては、ＬＥＤ、ＬＣＤ、蓄光材などを利用できる。
【００５５】
一方、ユーザが設定操作を行う以前の状態では発光手段８２が発光していない状態であって、検知手段８１によりユーザが設定操作を行う動作を検知したとき、発光手段８２が発光状態となるように設定することで、ユーザは、設定操作を行う際に発光手段８２により操作部８の位置を容易に確認することができる。
この場合の発光手段８２としては、発光状態の切り換えが可能なＬＥＤ、ＬＣＤなどを利用できる。
【００５６】
第１実施形態では、操作部８は、図１に示すように、筐体８ａを備え、筐体８ａ内にエアポンプ６やエアセル制御部７を配置することで、操作部８とエアセル制御装置５とを一体的に構成し、エアセル制御装置５とともにマットレス３に内蔵されるように構成されている。
【００５７】
また、操作部８は、図３に示すように、筐体８ａの上面８ａ１がマットレス３の上面３ａ１と略面一になるように配置されている。
【００５８】
そして、筐体８ａの上面８ａ１が操作面として機能するように、上面８ａ１に近接した筐体８ａの内部で上面８ａ１に近接した位置に検知手段８１が配置されている。検知手段８１は、筐体８ａの上面８ａ１上でユーザが所定の指示操作を行うことで、ユーザの動作を検知するように構成されている。
【００５９】
第１実施形態では、図４に示すように、筐体８ａの上面８ａ１の検知手段８１が位置する部分には、スイッチマーク８１ａが設けられている。そして、発光手段８２（図示省略）によりスイッチマーク８１ａが発光するように構成されている。
【００６０】
このように構成することで、検知手段８１によりユーザの操作部８の位置を探す手探りの動作が検知されたときに、発光手段８２によってスイッチマーク８１ａを発光するようにすることで、シーツが掛かった状態でも検知手段８１の位置を知ることができる。これにより、検知手段８１による設定操作を確実に行うことができる。
【００６１】
（変形例１）
検知手段８１の位置を知らせる態様の変形例１として、図５に示すように、スイッチマーク８１ａの周りを発光させるようにしてもよい。
【００６２】
（変形例２）
また、変形例２として、図６に示すように、スイッチマーク８１ａ（すわわち、検知手段８１が設置される位置）に向かって矢印８２ａが点滅するように発光手段８２を動作させるようにしてもよい。
【００６３】
以上のように構成したので、第１実施形態によれば、複数のエアセル２を備えるマットレス３と、各エアセル２に空気を供給するエアセル制御装置５と、操作部８と、エアセル制御装置５の運転を制御する制御部９と、を備えるマットレス装置１において、操作部８の構成として、検知手段８１と、検知手段８１を収容する筐体８ａと、検知手段８１の位置を知らせる発光手段８２とを備え、操作部８の上面８ａ１がマットレス３の上面３ａ１に沿って略面一に配置するようにマットレス３に内蔵することで、操作部８に接続される操作ケーブルを露出することなく操作部８をマットレス３設置することができるので、マットレス周りが繁雑になることなく、シーツを簡単に掛けることができる。そして、シーツが掛かって操作部８が見えない状態であっても、発光手段８２により操作部８の位置を容易に特定できるので、操作性の向上を図ることができる。
【００６４】
また、第１実施形態では、操作部８の構成として筐体８ａを設けて、その内部に検知手段８１を配置して筐体８ａの上面８ａ１を操作面として機能するように構成したので、検知手段８１を直接触れることなく操作することができるので、シーツを使用した状態で操作部８が見えなくて不用意に操作部８に手足が当っても、検知手段８１を破損したり操作に影響を及ぼすことがない。
【００６５】
また、第１実施形態では、操作部８の筐体８ａ内にエアセル制御装置５を配置することで操作部８とエアセル制御装置５とを一体的に構成して、操作部８とともにエアセル制御装置５をマットレス３に内蔵するように構成したので、エアセル制御装置５からエアセル２に空気を供給する給排気チューブ５１をマットレス３の外側に露出することなく敷設できるので、マットレス周りを簡潔にすることができる。これにより、マットレス装置１の移動する際にもエアセル制御装置５が邪魔になることなくマットレス装置１とともに容易に移動することができる。
【００６６】
なお、第１実施形態では、１箇所の検知手段８１に対応して発光手段８２を設けることで操作部８の位置を特定しているが、例えば、複数箇所に操作部または検知手段を配置するようにした場合、光の色、明度、点灯／消灯／点滅、発光の数量、色の組合せ等を変えることで、それぞれの操作部または検知手段の位置を特定することが可能になる。これにより、誤操作を防止して、操作性の向上や安全性の向上を図ることができる。
【００６７】
また、第１実施形態では、発光手段８２を発光させることにより検知手段８１の位置を特定するようにしているが、発光手段８２を検知手段８１のスイッチ操作に連動させて、発光手段８２の発光状態により検知手段８１のＯＮ／ＯＦＦ状態を確認できるようにしてもよい。
【００６８】
（第２実施形態）
次に、本発明の第２実施形態について図面を参照して説明する。
図７は本発明の第２実施形態に係るマットレス装置の操作部の設置状態の一例を示す説明図、図８は前記操作部の上面に検知手段を配置した構成を示す説明図、図９は前記操作部の上面に検知手段を配置した構成の変形例１を示す説明図、図１０は前記操作部の上面に検知手段を配置した構成の変形例２を示す説明図、図１１は前記操作部の側面に前記検知手段を配置した構成の変形例３を示す説明図である。
【００６９】
なお、第２実施形態におけるマットレス装置は、基本的な構成は第１実施形態のマットレス装置の構成と同様な構成を備えるものであり、同様な構成については同一の符号を付することで説明を省略する。
【００７０】
第２実施形態に係るマットレス装置２０１は、図７に示すように、第１実施形態と同様に、複数の袋状のエアセル（図示省略）を備えるマットレス３と、各エアセルに空気を供給するエアセル制御装置５と、ユーザの指示によりマットレス３の状態（姿勢）を設定する操作部２０８と、を備えて、操作部２０８により設定された結果に基づきエアセル制御装置５による空気の給排気を制御してマットレス３の状態を設定するマットレス装置において、操作部２０８をマットレス３の本体内部に内蔵するように構成したことを特徴とするものである。
【００７１】
第２実施形態では、操作部２０８は、図７に示すように、筐体２０８ａを備え、筐体２０８ａ内にエアポンプ（図示省略）やエアセル制御部（図示省略）を配置することで、操作部２０８とエアセル制御装置５とを一体的に構成し、エアセル制御装置５とともにマットレス３に内蔵されるように構成されている。
【００７２】
そして、第２実施形態では、操作部２０８は、ユーザの設定操作を検知する検知手段として押しボタンスイッチ２８１を備えることを特徴としている。ユーザは、押しボタンスイッチ２８１のボタン操作により設定操作を行う。
【００７３】
押しボタンスイッチ２８１は、筐体２０８ａの上面２０８ａ１に設けられている。
押しボタンスイッチ２８１は、その上部に凹凸部２８１１が形成され、ユーザが凹凸部２８１１を触ることでスイッチであることが認識できるようにされている。すなわち、押しボタンスイッチ２８１は、上部の凹凸部２８１１が操作部位置特定手段として機能するようになっている。
【００７４】
以上のように構成したので、第２実施形態のマットレス装置２０１によれば、操作部２０８の筐体２０８ａの上面２０８ａ１に、上部に凹凸部２８１１が形成された押しボタンスイッチ２８１を備えることで、シーツが掛かって操作部２０８が見えない状態であっても、ユーザは操作部２０８の上面２０８ａ１を触るだけで、押しボタンスイッチ２８１の位置を容易に特定できるので、操作性の向上を図ることができる。
【００７５】
（変形例１）
第２実施形態の押しボタンスイッチ２８１の変形例１として、図９に示すように、操作部２０８の筐体２０８ａの上面２０８ａ１に凹部２０８ｃを形成して、その凹部２０８ｃに検知手段２８１ａを配置するようにしてもよい。
【００７６】
このように構成することで、操作部２０８の上面２０８ａ１を触って凹部２０８ｃを確認することで検知手段２８１ａの位置を特定することができる。
【００７７】
また、検知手段２８１ａが操作部２０８の上面２０８ａ１よりも凹んでいるため、例えば、介護者が膝をついて筐体２０８ａ上に乗ったり、不意に触ったり、ぶつかったりした際にも、誤って検知手段２８１ａを押してしまう可能性を低減して、安全面も確保することができる。
【００７８】
検知手段２８１ａとして、タッチスイッチ、押しボタンスイッチ、圧力スイッチ等を用いることができる。
【００７９】
（変形例２）
また、変形例２として、図１０に示すように、操作部２０８の筐体２０８ａの上面２０８ａ１にそのまま検知手段２８１ｂを突出されて配置するようにしてもよい。
【００８０】
このように構成することで、操作部２０８の平坦な上面２０８ａ１において突出した検知手段２８１ｂを容易に特定することができる。
【００８１】
（変形例３）
また、変形例３として、図１１に示すように、操作部２０８の筐体２０８ａの側面２０８ａ２に検知手段２８１ｃを配置するとともに、検知手段２８１ｃに向かい導くように矢印状の凸部２８２を形成するようにしてもよい。
【００８２】
このように構成することで、操作部２０８の側面２０８ａ２を触って凸部２８２を確認することで容易に検知手段２８１ｃの位置を特定することができる。
【００８３】
（変形例４）
また、変形例４として、例えば、マットレス使用者がポンプの筐体２０８ａ上に膝立ちなどで乗った場合や足の踵が乗った場合などに、痛くならないように、ポンプの筐体２０８ａ上にスポンジ等の緩衝部材を配置するようにしてもよい。このとき、その緩衝部材の一部（検知手段２８１ｃと対向する部分）を切り欠いておくことで検知手段２８１ｃの位置が推定できる。
【００８４】
このように構成することで、マットレス使用者が筐体２０８ａに乗ったときの痛みを軽減するとともに検知手段２８１ｃと位置推定を同時にできる。
【００８５】
以上のように、第２実施形態のマットレス装置２０１によれば、操作部２０８の筐体２０８ａの上面２０８ａ１や側面２０８ａ２に、凹凸で識別できる押しボタンスイッチ２８１や検知手段２８１ａ，２８１ｂ、凸部２８２を設けることで、シーツを使用した状態でもシーツ越しに凹凸を確認することでスイッチの位置を容易に特定できる。
【００８６】
なお、複数箇所に操作部または検知手段を配置するようにした場合、検知手段に設ける凹凸部の形状、突出高さ、大きさ、点字を突出させるなど、検知手段の形状に違いを設けることで、それぞれの操作部または検知手段の位置を特定することが可能になる。これにより、誤操作を防止して、操作性の向上や安全性の向上を図ることができる。
【００８７】
（第３実施形態）
次に、本発明の第３実施形態について図面を参照して説明する。
図１２は本発明の第３実施形態に係るマットレス装置の操作部の設置状態の一例を示す説明図である。
【００８８】
なお、第３実施形態におけるマットレス装置は、基本的な構成は第１実施形態のマットレス装置の構成と同様な構成を備えるものであり、同様な構成については同一の符号を付することで説明を省略する。
【００８９】
第３実施形態は、図１２に示すように、第１実施形態のマットレス装置１において、マットレス３に内蔵した操作部８を確認しやすい特定の位置に配置することを特徴とするものである。
【００９０】
具体的には、マットレス装置１のマットレス３の特定箇所を、ヘッド側左角３ｈ１、ヘッド側中央３ｈ２、ヘッド側右角３ｈ３、中央部左側３ｍ１、中央部右側３ｍ２、フット側左角３ｆ１、フット側中央３ｆ２、フット側右角３ｆ３として、操作部８を何れか１箇所に特定して配置するように構成する。
【００９１】
第３実施形態では、図１２に示すように、操作部８をマットレス３のフット側左角３ｆ１の位置に配置している。
【００９２】
このような構成は、例えば、マットレス装置１のヘッド側や右側が壁であったり、スペースが狭かったりした設置条件の場合に有効であり、マットレス装置１のフット側左角３ｆ１に操作部８を配置することで操作性が良好になる。
【００９３】
このように、マットレス装置１の設置条件によって、操作部８を設置する位置を特定することで操作部８の位置を推定し易くなる。
【００９４】
その他の例として、マットレス使用者のヘッド側に問題が生じている場合は、マットレス３のフット側に操作部８の設置位置を特定したり、マットレス使用者のフット側に問題が生じている場合は、マットレス３のヘッド側に操作部８の設置位置を特定してもよい。
【００９５】
また、操作部や検知手段を複数箇所に配置する場合は、例えば、機能毎に設置場所を、ヘッド側、中央部、フット側、マットレス上面、マットレス側面などに特定するように決めておくことで、操作部や検知手段の位置を推定し易くなる。
【００９６】
また、ユーザの操作部８を操作する状況に応じて、操作部８をマットレス装置１の特定の位置に配置するようにしてもよい。
【００９７】
例えば、ユーザに積極的に操作させたい設定の場合は、操作部８をユーザの頭の近くや手の近くに配置することで、寝ているユーザにとって操作しやすい位置となる。一方、ユーザに積極的に操作させたくない設定の場合は、操作部８をユーザの足の近くに配置することで、寝ているユーザにとって操作しづらい位置となる。
【００９８】
このように、ユーザの機能の変更権限のレベルに応じて操作部８の配置を変えることで、ユーザにとって危険な動作となる設定変更を行いづらくさせて、安全な操作を実現できる。
【００９９】
（第４実施形態）
次に、本発明の第４実施形態について図面を参照して説明する。
図１３は本発明の第４実施形態に係るマットレス装置の操作部の設置状態の一例を示す説明図、図１４は前記操作部の上面に検知手段を配置した構成を示す説明図、図１５は前記検知手段を上面に配置した構成の変形例１を示す説明図である。
【０１００】
なお、第４実施形態におけるマットレス装置は、基本的な構成は第１実施形態のマットレス装置の構成と同様な構成を備えるものであり、同様な構成については同一の符号を付することで説明を省略する。
【０１０１】
第４実施形態に係るマットレス装置４０１は、図１３に示すように、第１実施形態と同様に、複数の袋状のエアセル（図示省略）を備えるマットレス３と、各エアセルに空気を供給するエアセル制御装置５と、ユーザの指示によりマットレス３の状態（姿勢）を設定する操作部４０８と、を備えて、操作部４０８により設定された結果に基づきエアセル制御装置５による空気の給排気を制御してマットレス３の状態を設定するマットレス装置において、操作部４０８をマットレス３の本体内部に内蔵するように構成したことを特徴とするものである。
【０１０２】
第４実施形態では、操作部４０８は、図１３に示すように、筐体４０８ａを備え、筐体４０８ａ内にエアポンプ（図示省略）やエアセル制御部（図示省略）を配置することで、操作部４０８とエアセル制御装置５とを一体的に構成し、エアセル制御装置５とともにマットレス３に内蔵されるように構成されている。
【０１０３】
そして、第４実施形態では、操作部４０８は、ユーザの設定操作を検知する検知手段として手のひらサイズ程度のタッチスイッチ４８１ａを備えることを特徴としている。ユーザは、タッチスイッチ４８１ａを手のひらで操作することにより設定操作を行う。
【０１０４】
タッチスイッチ４８１ａは、筐体４０８ａの上面４０８ａ１に設けられている。
タッチスイッチ４８１ａは、手のひらで押せる程度のサイズであり、手のひらで操作できる感度を有している。これにより、ユーザは、おおまかな位置でタッチスイッチ４８１ａに接触するだけで操作ができるようになっている。
【０１０５】
以上のように構成したので、第４実施形態のマットレス装置４０１によれば、操作部４０８の筐体４０８ａの上面４０８ａ１に、手のひらサイズ程度のタッチスイッチ４８１ａを備えることで、シーツが掛かって操作部２０８が見えない状態であっても、ユーザは操作部４０８の上面４０８ａ１のおおまか位置でタッチスイッチ４８１ａに触れるだけで操作することができるので、操作性の向上を図ることができる。
【０１０６】
（変形例１）
第４実施形態のタッチスイッチ４８１ａの変形例１として、図１５に示すように、操作部４０８の筐体４０８ａの上面４０８ａ１に、ユーザの設定操作を検知する検知手段として手のひらよりも小さいサイズのタッチスイッチ４８１ｂを備えるようにしてもよい。
【０１０７】
このように構成することで、操作部４０８の上面４０８ａ１を手のひらで操作することで、多少操作する位置がずれてもタッチスイッチ４８１ｂを操作することができるので、省スペースでタッチスイッチ４８１ｂを設けることができる。
【０１０８】
（第５実施形態）
次に、本発明の第５実施形態について図面を参照して説明する。
図１６は本発明の第５実施形態に係るマットレス装置の操作部の設置状態の一例を示す説明図である。
【０１０９】
なお、第５実施形態におけるマットレス装置は、基本的な構成は第１実施形態のマットレス装置の構成と同様な構成を備えるものであり、同様な構成については同一の符号を付することで説明を省略する。
【０１１０】
第５実施形態に係るマットレス装置５０１は、図１６に示すように、第１実施形態のマットレス装置１におけるマットレス３に内蔵した操作部８の検知手段８１に代えて、操作部５０８に音声認識によりユーザの指示を検知する音声認識検知手段５８１を設けたことを特徴とするものである。
【０１１１】
第５実施形態では、マットレス装置５０１のマットレス３の箇所を、ヘッド側左角３ｈ１、ヘッド側右角３ｈ３、中央部左側３ｍ１、中央部右側３ｍ２、フット側左角３ｆ１、フット側右角３ｆ３としている。第５実施形態では、音声認識検知手段５８１を備えた操作部５０８をマットレス３のフット側左角３ｆ１の位置に配置している。
【０１１２】
以上のように構成したので、第５実施形態によれば、検知手段として音声認識検知手段５８１を備えることで、ユーザがおおまかに音声認識検知手段５８１の位置を把握しているだけで指示操作が可能となる。また、操作部５０８の構成として、第１実施形態と同様に、音声認識検知手段５８１の動作に連動して発光する発光手段（図示省略）を備えることで操作部５０８の位置（音声認識検知手段５８１の位置）を容易に特定することができる。
【０１１３】
また、音声認識検知手段５８１を備えることで、部屋が明るいとき以外にも、暗転時や目に障害がある場合でも容易に指示操作を行うことができる。
【０１１４】
また、第５実施形態では、操作部５０８をマットレス３のフット側左角３ｆ１の位置に配置しているので、マットレス３上に寝ている患者Ｐからは音声認識検知手段５８１が遠くなるため、看護師や介助者のみが設定や変更をしやすくなり、意図せずマットレス３の設定が変更されることを抑制できる。このように、音声認識検知手段５８１を患者Ｐから離れたマットレス３の足下のフット側左角３ｆ１、フット側右角３ｆ３や側端の中央部左側３ｍ１、中央部右側３ｍ２に配置することで、看護師や介助者により正確に設定、変更を行うことができる。
【０１１５】
なお、音声認識検知手段５８１を患者Ｐの枕元のヘッド側左角３ｈ１やヘッド側右角３ｈ３に設けることで、患者Ｐによる設定、変更を容易に行うこともできる。
【０１１６】
（第６実施形態）
次に、本発明の第６実施形態について図面を参照して説明する。
図１７は本発明の第６実施形態に係るマットレス装置の操作部の設置状態の一例を示す説明図である。
【０１１７】
なお、第６実施形態におけるマットレス装置は、基本的な構成は第１実施形態のマットレス装置の構成と同様な構成を備えるものであり、同様な構成については同一の符号を付することで説明を省略する。
【０１１８】
第６実施形態に係るマットレス装置６０１は、図１７に示すように、第１実施形態のマットレス装置１におけるマットレス３に内蔵した操作部８の検知手段８１に代えて、操作部６０８にユーザの指示操作の動作による振動を検知する振動検知手段６８１を設けたことを特徴とするものである。
【０１１９】
具体的には、振動検知手段６８１は、マットレス３の振動を検知することでスイッチ操作を行う。すなわち、マットレス３全体がスイッチとなり、ユーザ（患者Ｐ）がマットレス３を振動させることで指示操作を行い、その動作により発生する振動を検知するようにしたものである。
【０１２０】
振動検知手段６８１による振動の検知は、振幅、周波数、振動回数などをパラメータとして検知できる。
【０１２１】
例えば、振動判定手段を設けて、振幅を振動検知のパラメータとした場合、設定した振幅の領域（例えば、小さい振幅）の振動を検知した場合は、「正常状態」と判断し、設定した振幅の領域の振動を複数回規則的に検知した場合は、「ユーザの指示操作」と判断し、設定した振幅の領域よりも大きい振幅の振動を複数回検知した場合は、「異常状態」と判断するようにしてもよい。
【０１２２】
以上のように構成したので、第６実施形態によれば、検知手段として振動検知手段６８１を備えた操作部６０８をマットレス３に内蔵することで、マットレス３上で振動を発生させたり、マットレス装置全体を振動させたりすることで、指示操作を行うことができ、マットレス３上に寝ている患者Ｐや、看護師や介助者により容易に設定、変更を行うことができる。
【０１２３】
なお、振動検知手段６８１は、操作部６０８とは別体でマットレス３内に設けたり、マットレス３の振動を検知可能な箇所に設けることもできる。
【０１２４】
また、振動検知手段６８１を備えることで、部屋が明るいとき以外にも、暗転時や目に障害がある場合でも容易に指示操作を行うことができる。
【０１２５】
以上、本発明の実施形態について説明してきたが、本発明を実施するための具体的な構成は、上述した実施形態や変形例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【産業上の利用可能性】
【０１２６】
本発明のマットレス装置は、医療用、介護用のベッド、車椅子用のエアマット等に利用することができる。
【符号の説明】
【０１２７】
１，２０１，４０１，５０１，６０１  マットレス装置
２  エアセル
３  マットレス
３ａ１  上面
５  エアセル制御装置
６  エアポンプ
７  エアセル制御部
８，２０８，４０８，５０８，６０８  操作部
８ａ，２０８ａ，４０８ａ  筐体
８ａ１，２０８ａ１，４０８ａ１  上面
９  制御部
１１  報知手段
８１  検知手段
８１ａ  スイッチマーク
８２  発光手段（操作部位置特定手段）
８２ａ  矢印（操作部位置特定手段）
９１  誤操作防止機能
２０８ａ２  側面
２０８ｃ  凹部
２８１  押しボタンボタンスイッチ（検知手段）
２８１ａ，２８１ｂ，２８１ｃ  検知手段
２８２  凸部（操作部位置特定手段）
４８１ａ，４８１ｂ  タッチスイッチ
５８１  音声認識検知手段
６８１  振動検知手段
【図１】
0006739924.tif 000002
【図２】
0006739924.tif 000003
【図３】
0006739924.tif 000004
【図４】
0006739924.tif 000005
【図５】
0006739924.tif 000006
【図６】
0006739924.tif 000007
【図７】
0006739924.tif 000008
【図８】
0006739924.tif 000009
【図９】
0006739924.tif 000010
【図１０】
0006739924.tif 000011
【図１１】
0006739924.tif 000012
【図１２】
0006739924.tif 000013
【図１３】
0006739924.tif 000014
【図１４】
0006739924.tif 000015
【図１５】
0006739924.tif 000016
【図１６】
0006739924.tif 000017
【図１７】
0006739924.tif 000018